(57)【要約】【課題】レーザ光源のメンテナンス作業の負担を軽減するとともに、初期化装置の構成を複雑にすることなく安価でありながら、均一な結晶状態を短時間に形成して初期化作業の効率を良好にすることを可能にする。【解決手段】光ディスクの初期化装置は、断面形状が楕円形状である初期化用レーザ光を出射するレーザ光源２１と、光ディスクＤＫからの反射光を同光ディスクＤＫに向けて反射する反射ミラー３０と、レーザ光源２１から出射された初期化用レーザ光および反射ミラー３０から導かれた反射光をそれぞれ光ディスクＤＫの記録層上に集光して、第１の光スポットＳＰ１および第２の光スポットＳＰ２を形成する対物レンズ２８とを備える。この場合、反射ミラー３０の向きを調整して、第２の光スポットＳＰ２が形成される位置を第１の光スポットＳＰ１の進行方向における前方であって同第１の光スポットＳＰ１の近傍にする。【選択図】  図１
2007141302.tif 000002
【特許請求の範囲】
【請求項１】
光ディスクに向けてレーザ光を出射するレーザ光源と、
前記レーザ光源から出射されたレーザ光を集光して、光ディスクの記録層上に第１の光スポットを形成する光学レンズと、
前記第１の光スポットによる光ディスクからの反射光を反射し、前記光学レンズを介して光ディスクの記録層上に前記第１の光スポットとは異なる第２の光スポットを形成する反射ミラーと、
前記記録層上に形成された第１の光スポットおよび第２の光スポットを、光ディスクに対して相対的に移動させる光スポット移動手段とを備え、
前記第１の光スポットの相対移動方向における前方側であって同第１の光スポットの近傍に前記第２の光スポットを形成して、光ディスクの記録層を初期化するようにしたことを特徴とする光ディスクの初期化装置。
【請求項２】
請求項１に記載の光ディスクの初期化装置において、さらに、
前記第１の光スポットと前記第２の光スポットとの間隔を変更する光スポット間隔変更手段を備えた光ディスクの初期化装置。
【請求項３】
請求項２に記載の光ディスクの初期化装置において、
前記光スポット間隔変更手段は、前記第１の光スポットによる光ディスクからの反射光の光軸に対して前記反射ミラーの向きを変更することにより、前記第１の光スポットと前記第２の光スポットとの間隔を変更する光ディスクの初期化装置。
【請求項４】
請求項１ないし請求項３のうちのいずれか１つに記載の光ディスクの初期化装置において、さらに、
前記第１の光スポットによる光ディスクからの反射光の光量を検出する反射光量検出手段と、
前記第２の光スポットを形成する反射光の光路上に設けられ、同反射光の透過光量を調整する反射光量調整器と、
前記反射光量検出手段により検出された反射光の光量に応じて、前記反射光量調整器を透過する反射光の光量が所定の光量となるように、前記反射光量調整器を制御する反射光量調整器制御手段とを備えた光ディスクの初期化装置。
【発明の詳細な説明】
【技術分野】
【０００１】
本発明は、レーザ光を光ディスクの記録層に照射して、同記録層を初期化する光ディスクの初期化装置に関する。
【背景技術】
【０００２】
一般に、ＣＤ−ＲＷ、ＤＶＤ−ＲＷ，ＤＶＤ−ＲＡＭ、ＭＤ、ＭＯなどの相変化型の記録層を備えた書き換え可能な光ディスク（光磁気ディスクを含む）においては、非結晶状態にある記録層全体を結晶状態に相変化させて反射率の高い状態にする「初期化」が行われている。光ディスクを初期化する装置として、例えば、下記特許文献１に示されているように、光ディスクの記録層上に１つの初期化用の光スポットを形成して同記録層の初期化を行う装置がある。また、下記特許文献２に示されているように、光ディスクの記録層上に２つの初期化用の光スポットを形成して同記録層の初期化を行う装置もある。
【特許文献１】特開２００３−２２５３８号公報
【特許文献２】特開２００３−２７２１７２号公報
【０００３】
しかしながら、光ディスクの記録層上に１つの光スポットを形成して同記録層を初期化する装置においては、均一な結晶状態を形成することが難しく反射率にムラが生じやすい。このため、光スポットの光ディスクに対する相対的な移動速度を均一な結晶状態が形成される速度まで下げなければならず、初期化作業の効率が悪いという問題がある。一方、光ディスクの記録層上に２つの光スポットを形成して同記録層を初期化する装置においては、初期化用である高出力のレーザ光源２つと、同２つのレーザ光源に対応する各種光学部品が必要なため初期化装置の構成が複雑かつ高価なものになるとともに、同２つのレーザ光源のメンテナンス作業が煩雑であるという問題がある。
【発明の開示】
【０００４】
本発明は上記問題に対処するためなされたもので、その目的は、１つの初期化用のレーザ光源を用いることにより、レーザ光源のメンテナンス作業の負担を軽減するとともに、初期化装置の構成を複雑にすることなく安価でありながら、均一な結晶状態を短時間に形成して初期化作業の効率を良好にすることが可能な光ディスクの初期化装置を提供することにある。
【０００５】
上記目的を達成するため、本発明の特徴は、光ディスクに向けてレーザ光を出射するレーザ光源と、レーザ光源から出射されたレーザ光を集光して、光ディスクの記録層上に第１の光スポットを形成する光学レンズと、第１の光スポットによる光ディスクからの反射光を反射し、前記光学レンズを介して光ディスクの記録層上に第１の光スポットとは異なる第２の光スポットを形成する反射ミラーと、記録層上に形成された第１の光スポットおよび第２の光スポットを、光ディスクに対して相対的に移動させる光スポット移動手段とを備え、第１の光スポットの相対移動方向における前方側であって同第１の光スポットの近傍に第２の光スポットを形成して、光ディスクの記録層を初期化するようにしたことにある。この場合、上記光学レンズとしては、入射したレーザ光を集光して光スポットを形成する対物レンズや、入射したレーザ光を長尺の楕円形状の光スポットに形成するシリンドリカルレンズなどを用いることができる。
【０００６】
このように構成した本発明の特徴によれば、レーザ光源から出射され光ディスク上に形成された第１の光スポットからの反射光を、反射ミラーによって反射して再び光ディスク上に第２の光スポットとして形成している。この場合、第２の光スポットは、第１の光スポットの移動方向における前側であって同第１の光スポットの近傍に形成される。このため、初期化の対象である記録層は、まず第２の光スポットにより予め熱せられた後、第１の光スポットにより熱せられる。すなわち、第２の光スポットによって初期化の対象である記録層の温度上昇を開始させ、その後第１の光スポットの照射によって同記録層の温度を徐々に上昇させることができるので、１つの初期化用の光スポットを用いて初期化する場合に比べて、適正な光量の光スポットで急激な温度上昇を伴うことなく、前記記録層の温度を結晶化温度に上昇させることができる。また、初期化対象である記録層を第２の光スポットおよび第１の光スポットからなる２段階で熱しているので、結果として、第１の光スポットの光ディスクに対する相対的な移動速度を上げることができ、初期化作業の効率を良好にすることができる。さらに、本発明に係る光ディスクの初期化装置においては、初期化用のレーザ光源を１つとしているため、２つのレーザ光源を用いる場合に比べて、レーザ光源のメンテナンス作業の負担を軽減することができるとともに、初期化装置の構成を複雑にすることなく安価に構成することができる。
【０００７】
また、本発明の他の特徴は、上記光ディスクの初期化装置において、さらに、第１の光スポットと第２の光スポットとの間隔を変更する光スポット間隔変更手段を備えたことにある。この場合、前記光スポット間隔変更手段は、例えば、第１の光スポットによる光ディスクからの反射光の光軸に対して前記反射ミラーの向きを変更することにより、第１の光スポットと第２の光スポットとの間隔を変更するようにするとよい。
【０００８】
このように構成した本発明の他の特徴によれば、光スポット間隔変更手段により第１の光スポットと、光ディスクからの反射光による第２の光スポットとの間隔を変更することができる。この結果、レーザ光源から出射されるレーザ光の光量（光強度）や光ディスクの記録層の種類に応じて適宜、両光スポットの間隔を変更することができ、初期化精度を良好に維持することができる。
【０００９】
また、本発明の他の特徴によれば、上記光ディスクの初期化装置において、さらに、第１の光スポットによる光ディスクからの反射光の光量を検出する反射光量検出手段と、第２の光スポットを形成する反射光の光路上に設けられ、同反射光の透過光量を調整する反射光量調整器と、反射光量検出手段により検出された反射光の光量に応じて、反射光量調整器を透過する反射光の光量が所定の光量となるように、反射光量調整器を制御する反射光量調整器制御手段とを備えたことにある。この場合、前記反射光量調整器は、回転変位または直線変位により透過光量が変化する光学部品、電気信号の供給により透過光量が変化する素子、および回転により偏光方向が変化する光学部品と偏光方向により透過光量が変化する光学部品とを組み合わせたもののうちのいずれか１つで構成するとよい。これによれば、反射光量調整器における反射光の透過光量を調整することができ、レーザ光源から出射されるレーザ光の光量（光強度）や光ディスクの記録層の種類に応じて適宜、反射光による光スポットの光量を変更することができ、初期化精度を良好に維持することができる。
【発明を実施するための最良の形態】
【００１０】
以下、本発明に係る光ディスクの初期化装置の一実施形態について図面を参照しながら説明する。図１は、ＤＶＤ−ＲＡＭなどの層変化型の光ディスクＤＫにレーザ光を照射して同光ディスクＤＫの記録層を初期化する光ディスクの初期化装置の全体概略図である。この初期化装置は、光ディスクＤＫを回転駆動する回転駆動装置１０と、光ディスクＤＫにレーザ光を照射して同光ディスクＤＫの記録層を初期化するとともに、光ディスクＤＫからの反射光を再度光ディスクＤＫに導く光ピックアップ装置２０とを備えている。
【００１１】
回転駆動装置１０は、スピンドルモータ１１およびフィードモータ１２を備えている。スピンドルモータ１１は、その回転により回転軸１１ｂを回転させてターンテーブル１３を回転させる。ターンテーブル１３には、その上面に光ディスクＤＫが着脱可能に組み付けられるようになっている。また、スピンドルモータ１１内には、エンコーダ１１ａが組み込まれており、エンコーダ１１ａは、スピンドルモータ１１の回転を検出して同回転を表す回転検出信号をスピンドルモータ制御回路１４に出力する。スピンドルモータ制御回路１４は、後述するコントローラ６０によって制御されて、前記エンコーダ１１ａから供給される回転検出信号を用いて、コントローラ６０が指示する回転速度で回転するようにスピンドルモータ１１の回転を制御する。これにより、光ディスクＤＫは常に線速度一定で回転するように制御される。フィードモータ１２は、その回転によりスクリューロッド１５およびナット（図示せず）からなるねじ送り機構を介してスピンドルモータ１１、同スピンドルモータ１１を固定支持する支持部材１６およびターンテーブル１３を光ディスクＤＫの径方向に変位させる。
【００１２】
フィードモータ１２内にも、エンコーダ１２ａが組み込まれている。このエンコーダ１２ａは、前記エンコーダ１１ａと同様に構成されておりフィードモータ１１の回転を検出して同回転を表す回転検出信号をフィードモータ制御回路１７に出力する。フィードモータ制御回路１７は、コントローラ６０からの指示により、エンコーダ１２ａから出力される回転検出信号を用いてフィードモータ１２の回転を制御して、スピンドルモータ１１、ターンテーブル１３および支持部材１６の光ディスクＤＫの径方向への変位、すなわち、光ディスクＤＫの最内周と最外周との範囲内における光スポットの移動を制御する。また、フィードモータ制御回路１７は、エンコーダ１２ａから出力される回転検出信号を用いて計算した光スポットの光ディスクＤＫにおける径方向位置を表す情報をコントローラ６０に出力する。
【００１３】
この光スポットの径方向の移動においては、コントローラ６０は、フィードモータ制御
回路１７から入力した光スポットの光ディスクＤＫにおける径方向位置を表す情報に応じて、光ディスクＤＫの径方向移動速度を表す信号をフィードモータ制御回路１７に出力し、フィードモータ制御回路１７は、この径方向移動速度を表す信号に応じた速度でフィードモータ１２の回転を制御する。なお、このフィードモータ１２およびフィードモータ制御回路１７が、本発明に係る光スポット移動手段に相当する。
【００１４】
光ピックアップ装置２０は、レーザ光源２１と対物レンズ２８との間にコリメートレンズ２２、ダイクロイックミラー２３、偏光ビームスプリッタ２４、ダイクロイックミラー２５、立上ミラー２６および１／４波長板２７を備えている。レーザ光源２１は、半導体レーザで構成されており、主としてＳ偏光の偏光方向を有するレーザ光であって、光ディスクＤＫの記録層を初期化するための光強度（例えば、最大発光強度４Ｗ程度）および所定の波長（例えば、８１０nm）のレーザ光を出射する。また、レーザ光源２１は、光ディスクＤＫの記録層上に楕円形状の光スポットを形成するための断面形状が楕円形状の初期化用レーザ光を出射する。ここで、Ｓ偏光の偏光方向を有するレーザ光とは、直線偏光のうち入射面に対して垂直方向に振動する光である。
【００１５】
コリメートレンズ２２は、入射した光を平行光に変換する光学素子であり、具体的には、レーザ光源２１から出射された初期化用レーザ光を平行光に変換する。ダイクロイックミラー２３は、入射した光を波長に応じて透過または反射させる光学素子である。具体的には、本実施形態においてはレーザ光源２１から出射した波長８１０nmの初期化用レーザ光の９５％を透過させるとともに、同初期化用レーザ光の残りの５％を入射方向に直交する方向（図示右側）に反射する。このダイクロイックミラー２３によって反射されるレーザ光の光路上には、フォトディテクタ２９が配置されている。フォトディテクタ２９は、ダイクロイックミラー２３によって反射された前記一部の初期化用レーザ光を受光して、同受光量に応じた電気信号を受光信号として初期化用光量制御回路４１に出力する。
【００１６】
偏光ビームスプリッタ２４は、入射した光を偏光方向に応じて透過または反射させる偏光光学素子である。具体的には、ダイクロイックミラー２３を透過した初期化用レーザ光（Ｓ偏光）を入射方向に直交する方向（図示左側）に反射させてダイクロイックミラー２５に導くとともに、光ディスクＤＫからの反射光（Ｐ偏光）を透過させて反射ミラー３０に導く。ダイクロイックミラー２５は、前記ダイクロイックミラー２３と同様に、入射した光を波長に応じて透過または反射させる光学素子である。具体的には、偏光ビームスプリッタ２４によって反射された波長８１０nmの初期化用レーザ光を透過させて立上ミラー２６に導くとともに、詳しくは後述するレーザ光源３１から出射される波長６６０nmのレーザ光（Ｐ偏光）を入射方向に直交する方向（図示左側）に反射させて立上ミラー２６に導く。立上ミラー２６は、入射したレーザ光を入射方向に直交する方向（図示上側）に反射する。１／４波長板２７は、入射したレーザ光の偏光状態を変化させる光学素子であり、立上ミラー２６から導かれたレーザ光を直線偏光（Ｓ偏光またはＰ偏光）から円偏光に変換して対物レンズ２８に導くとともに、光ディスクＤＫからの反射光を円偏光から直線偏光（Ｐ偏光またはＳ偏光）に変換して立上ミラー２６に導く。
【００１７】
対物レンズ２８は、入射したレーザ光を光ディスクＤＫの記録層上に集光して光スポットを形成する。この場合、対物レンズ２８に入射するレーザ光は、レーザ光源２１から出射された初期化用レーザ光、後述する反射ミラー３０によって反射された反射光およびレーザ光源３１から出射されたレーザ光である。したがって、対物レンズ２８は、各入射したレーザ光および反射光ごとに光スポットを形成する。この場合、初期化用レーザ光による光スポットの形状は、光ディスクＤＫの径方向に長軸、接線方向に短軸である楕円形状となる。なお、本実施形態においては、同光スポットにおける長軸方向の長さを７０μｍ、短軸方向の長さを１μｍとするが、この大きさに限定されるものでないことは当然である。また、対物レンズ２８によって光ディスクＤＫの記録層上に形成される光スポットのうち、初期化用レーザ光による光スポットが本発明に係る第１の光スポットである。
【００１８】
反射ミラー３０は、光ディスクＤＫを反射した反射光のうち、偏光ビームスプリッタ２４を透過する反射光、すなわち光ディスクＤＫを反射した後Ｐ偏光に変換された初期化用レーザ光の光路上に配置されている。この反射ミラー３０は、光ディスクＤＫから反射した初期化用レーザ光（Ｐ偏光）を再度光ディスクＤＫに導くために、同反射した初期化用レーザ光を偏光ビームスプリッタ２４に向けて反射する。この場合、反射ミラー３０は、同反射ミラー３０によって反射された反射光によって光ディスクＤＫの記録層上に形成される楕円形状の光スポットが前記初期化用レーザ光による光スポットの進行方向の前方側に形成されるように、前記反射した初期化用レーザ光の光軸に対して若干傾斜した状態で配置されている。
【００１９】
ここで、光スポットの進行方向とは、光ディスクＤＫがスピンドルモータ１１により回転するとともに、フィードモータ１２により同光ディスクＤＫの径方向に移動することにより、光ディスクＤＫの記録層上に形成される初期化用レーザ光による光スポットが同記録層の未だ初期化されていない領域に移動する方向をいう。また、この反射ミラー３０は、同反射ミラー３０によって反射された反射光によって光ディスクＤＫ上に形成される楕円形状の光スポットの位置を変化させるために、後述する角度調整装置５１によって光ディスクＤＫからの反射光の光軸に対する反射面の向きが変化するようになっている。なお、この反射ミラー３０によって反射された反射光により光ディスクＤＫの記録層上に形成される光スポットが、本発明に係る第２の光スポットである。
【００２０】
レーザ光源３１は、半導体レーザで構成されており、主としてＰ偏光の偏光方向を有するレーザ光であって、詳しくは後述する対物レンズ２８のフォーカスサーボ制御用の光強度（例えば、最大発光強度５０ｍＷ程度）および所定の波長（例えば、６６０nm）のレーザ光を出射する。ここで、Ｐ偏光の偏光方向を有するレーザ光とは、直線偏光のうち入射面に対して平行に振動する光である。また、レーザ光源３１から出射されるレーザ光の断面形状は円形である。なお、レーザ光源３１は、同レーザ光源３１から出射されるフォーカス用レーザ光によって光ディスクＤＫの記録層上に形成される円形の光スポットが、前記初期化用レーザ光による光スポットの進行方向後ろ側に形成されるように光ピックアップ装置２０内に取り付けられている。
【００２１】
このレーザ光源３１から出射されるフォーカス用レーザ光は、前記ダイクロイックミラー２５に向けて出射され、ダイクロイックミラー２５、立上ミラー２６、１／４波長板２７および対物レンズ２８を介して光ディスクＤＫに導かれる。レーザ光源３１とダイクロイックミラー２５との間には、コリメートレンズ３２および偏光ビームスプリッタ３３がそれぞれ配置されている。コリメートレンズ３２は、前記コリメートレンズ２２と同様に、入射した光を平行光に変換、すなわち、レーザ光源３１から出射したフォーカス用レーザ光を平行光に変換して偏光ビームスプリッタ３３に導く。偏光ビームスプリッタ３３は、前記偏光ビームスプリッタ２４と同様に、入射した光を偏光方向に応じて透過または反射させる偏光光学素子である。具体的には、コリメートレンズ３２を介して入射したフォーカス用レーザ光（Ｐ偏光）の一部（本実施形態においては５０％）を透過させてダイクロイックミラー２５に導くとともに、同フォーカス用レーザ光（Ｐ偏光）の他の一部（残りの５０％）を入射方向に直交する方向（図示右側）に反射する。
【００２２】
この偏光ビームスプリッタ３３によって反射されるレーザ光の光路上には、フォトディテクタ３４が配置されている。フォトディテクタ３４は、偏光ビームスプリッタ３３によって反射される前記一部のフォーカス用レーザ光を受光して、同受光量に応じた電気信号を受光信号としてフォーカス用光量制御回路４３に出力する。また、偏光ビームスプリッタ３３は、ダイクロイックミラー２５を介して導かれる光ディスクＤＫからの反射光（フォーカス用レーザ光による反射光であってＳ偏光の反射光）の一部（入射した反射光の５０％）を入射方向に直交する方向（図示左側）に反射するとともに、同光ディスクＤＫからの反射光（Ｓ偏光）の他の一部（残りの５０％）を透過させる。また、この偏光ビームスプリッタ３３は、波長８１０ｎｍの初期化用レーザ光の一部を透過させるとともに、他の一部を入射方向に直交する方向（図示左側）に反射させる。この場合、入射したレーザ光を反射させる割合は、同入射したレーザ光を透過させる割合より大きく設定されている。
【００２３】
偏光ビームスプリッタ３３により入射方向に直交する方向（図示左側）に反射されるレーザ光の光路上には、ダイクロイックミラー３５、集光レンズ３６、シリンドリカルレンズ３７および４分割フォトディテクタ３８がそれぞれ配置されている。ダイクロイックミラー３５は、前記ダイクロイックミラー２３およびダイクロイックミラー２５と同様に、入射した光を波長に応じて透過または反射させる光学素子である。具体的には、偏光ビームスプリッタ３３によって反射されたレーザ光のうち、波長６６０nmのフォーカス用レーザ光による反射光を透過させて集光レンズ３６に導くとともに、波長６６０nmの反射光以外の反射光、具体的には波長８１０nmの初期化用レーザ光による反射光を入射方向に直交する方向（図示下側）に反射する。
【００２４】
集光レンズ３６は、入射した波長６６０nmのフォーカス用レーザ光による反射光をシリンドリカルレンズ３７を介して４分割フォトディテクタ３８上に集光させる。シリンドリカルレンズ３７は、透過した反射光に非点収差を生じさせる光学素子である。４分割フォトディテクタ３８は、分割線で区切られた４つの同一正方形状の受光素子からなる４分割受光素子によって構成されており、各受光素子は受光量に比例した電気信号Ａ〜Ｄをそれぞれ受光信号として出力する。この受光信号は、ＨＦ信号増幅回路４５に出力され、対物レンズ２８のフォーカスサーボ制御に用いられる。なお、この光ピックアップ装置２０は、フォーカスアクチュエータ３９も備えている。フォーカスアクチュエータ３９は、ドライブ回路４８によって制御されて対物レンズ２８をレーザ光の光軸方向（光ディスクＤＫの盤面と垂直方向）に駆動する。
【００２５】
初期化用光量制御回路４１は、コントローラ６０に予め設定される初期化基準光量を表す初期化基準光量信号とフォトディテクタ２９から出力される受光信号との差電圧を算出して初期化光量フィードバック信号として初期化用レーザ駆動回路４２に出力する。ここで初期化基準光量とは、光ディスクＤＫの記録層を初期化するために必要な光量をいう。初期化用レーザ駆動回路４２は、コントローラ６０からの指令に応じてレーザ光源２１の作動の開始および停止を制御するとともに、初期化用光量制御回路４１から出力される初期化光量フィードバック信号に応じてレーザ光源２１から出射するレーザ光の光量を変化させる。
【００２６】
フォーカス用光量制御回路４３は、コントローラ６０に予め設定されるフォーカス基準光量を表すフォーカス基準光量信号とフォトディテクタ３４から出力される受光信号との差電圧を算出してフォーカス光量フィードバック信号としてフォーカス用レーザ駆動回路４４に出力する。ここでフォーカス基準光量とは、４分割フォトディテクタ３８から出力される受光信号Ａ〜Ｄを、対物レンズ２８のフォーカスサーボ制御に必要な信号レベルにするために必要なレーザ光源３１から出射されるフォーカス用レーザ光の光量をいう。フォーカス用レーザ駆動回路４４は、コントローラ６０からの指令に応じてレーザ光源３１の作動の開始および停止を制御するとともに、フォーカス用光量制御回路４３から出力されるフォーカス光量フィードバック信号に応じてレーザ光源３１から出射するレーザ光の光量を変化させる。
【００２７】
ＨＦ信号増幅回路４５は、４分割フォトディテクタ３８から出力された受光信号Ａ〜Ｄをそれぞれ増幅して、フォーカスエラー信号生成回路４６に出力する。フォーカスエラー信号生成回路４６は、ＨＦ信号増幅回路４５を介して４分割フォトディテクタ３８から出力される受光信号Ａ〜Ｄを用いて非点収差法によりフォーカスエラー信号を生成して、フォーカスサーボ制御回路４７に出力する。フォーカスサーボ制御回路４７は、フォーカスエラー信号に基づいてフォーカスサーボ信号を生成し、同フォーカスサーボ信号を用いてドライブ回路４８を介してフォーカスアクチュエータ３９を駆動制御することにより、対物レンズ２８を光軸方向に変位させてフォーカスサーボ制御する。これにより、対物レンズ２８に入射する初期化用レーザ光、初期化用レーザ光の反射光およびフォーカス用レーザ光による各光スポットが光ディスクＤＫの記録層上を追従するように制御される。
【００２８】
角度調整装置５１は、反射ミラー３０の反射面の向きを光ディスクからの反射光の光軸に対して変化させる調整機構および同調整機構を駆動するパルスモータを備えており、光スポット間隔調整装置回路５２から出力される制御信号に応じて反射ミラー３０の反射面の向きを変化させる。光スポット間隔調整回路５２は、後述する入力装置６１からコントローラ６０を介して入力される初期化用レーザ光による光スポットと同初期化用レーザ光の反射光による光スポットとの間隔を表す信号に応じて反射ミラー３０を傾ける角度を計算し、同角度に対応するパルス信号からなる制御信号を生成して角度調整装置５１に出力する。この光スポット間隔調整回路５２には、作業者により前記両光スポットと反射ミラー３０の傾き角度との相関関係を表すデータが予め設定されており、光スポット間隔調整回路５２は、同相関関係を表すデータに基づいて制御信号を生成する。これら角度調整装置５１および光スポット間隔調整回路５２が、本発明に係る光スポット間隔変更手段に相当する。
【００２９】
コントローラ６０は、ＣＰＵ、ＲＯＭ、ＲＡＭ、ハードディスク等からなり、キーボード、マウス等からなる入力装置６１からの指示に従って図示しないプログラムを実行することにより、光ディスクＤＫの初期化を行う。また、コントローラ６０には、ＣＲＴまたは液晶ディスプレイなどからなる表示装置６２が接続されており、光ディスクＤＫの初期化の実行状態および実行結果が適宜表示される。また、このコントローラ６０には、スピンドルモータ制御回路１４、フィードモータ制御回路１７、初期化用光量制御回路４１、初期化用レーザ駆動回路４２、フォーカス用光量制御回路４３、フォーカス用レーザ駆動回路４４および光スポット間隔調整回路５２がそれぞれ接続されており、コントローラ６０は、これらの各回路の作動を制御する。
【００３０】
上記のように構成した本実施形態の作動について説明する。まず、作業者は、初期化を行う光ディスクＤＫを記録層が対物レンズ２８に対向するように初期化装置にセットし、図示しない電源スイッチの投入により、コントローラ６０を含む光ディスクの初期化装置の各種回路の作動を開始させる。次に、作業者は、レーザ光源２１から出射される初期化用レーザ光によって光ディスクＤＫの記録層上に形成される楕円形状の光スポットと反射ミラー３０によって反射された反射光によって同記録層上に形成される同楕円形状の光スポットとの間隔をコントローラ６０に指示する。具体的には、作業者は入力装置６１を操作して両光スポット間の間隔をコントローラ６０に指示する。この両光スポット間の間隔は、光ディスクＤＫの種類、レーザ光源２１の光強度および記録層上に形成される両光スポットの大きさなどに応じて適宜指示される。本実施形態においては、両光スポットの長軸間の間隔として２〜５μｍが適当である。
【００３１】
コントローラ６０は、作業者によって指示された前記両光スポット間の間隔を表す信号を光スポット間隔調整回路５２に出力する。光スポット間隔調整回路５２は、コントローラ６０から出力された両光スポット間の間隔を表す信号に基づいて、反射ミラー３０を傾ける角度を計算し、同角度に対応するパルス信号からなる制御信号を生成して角度調整装置５１に出力する。この場合、光スポット間隔調整回路５２は、前記両光スポットの間の間隔と反射ミラー３０の傾き角度の相関関係を表すデータに基づいて制御信号を生成する。角度調整装置５１は、光スポット間隔調整回路５２から出力される制御信号に応じてパルスモータを回転駆動させることにより調整機構を介して反射ミラー３０の向きを変化させる。これにより、作業者が指示した両光スポット間の間隔に対応した向きに反射ミラー３０の向きが調整される。なお、このようにして調整された反射ミラー３０の向きは、新たに調整作業が行われるまで維持される。
【００３２】
次に、作業者は、入力装置６１を操作して光ディスクＤＫの初期化をコントローラ６０に指示する。この初期化の指示に応答してコントローラ６０は、図示しないプログラムの実行により、光ディスクＤＫの初期化を開始する。まず、コントローラ６０は、フィードモータ制御回路１７を作動させて光ディスクＤＫを初期化開始位置に移動させる。この初期化開始位置は、レーザ光が光ディスクＤＫの最外周部に照射される位置である。次に、コントローラ６０は、スピンドルモータ制御回路１４を作動させてフィードモータ制御回路１７から入力する光スポットの光ディスクＤＫにおける径方向位置を表す情報とコントローラ６０によって設定された線速度とから計算した回転速度で光ディスクＤＫを回転させる。
【００３３】
次に、コントローラ６０は、対物レンズ２８のフォーカスサーボ制御を開始させる。具体的には、コントローラ６０は、フォーカス用レーザ駆動回路４４を介してレーザ光源３１からフォーカス用レーザ光を出射させる。レーザ光源３１から出射したフォーカス用レーザ光は、コリメートレンズ３２、偏光ビームスプリッタ３３、ダイクロイックミラー２５、立上ミラー２６、１／４波長板２７および対物レンズ２８を介して光ディスクＤＫに導かれ、図２に示すように、同光ディスクＤＫの記録層付近に円形の光スポットＳＰＦを形成する。
【００３４】
光ディスクＤＫからの反射光は、対物レンズ２８、１／４波長板２７、立上ミラー２６、ダイクロイックミラー２５、偏光ビームスプリッタ３３、ダイクロイックミラー３５、集光レンズ３６およびシリンドリカルレンズ３７を介して４分割フォトディテクタ３８に導かれ、同４分割フォトディテクタ３８により受光量に応じた受光信号Ａ〜Ｄに変換される。この受光信号Ａ〜Ｄは、ＨＦ信号増幅回路４５を介してフォーカスエラー信号生成回路４６に供給され、同フォーカスエラー信号生成回路４６、フォーカスサーボ制御回路４７およびドライブ回路４８によりフォーカスアクチュエータ３９を駆動制御して対物レンズ２８のフォーカスサーボ制御が開始される。なお、この場合、レーザ光源３１から出射されたフォーカス用レーザ光の一部は、偏光ビームスプリッタ３３を介してフォトディテクタ３４により受光量に応じた受光信号に変換され、フォーカス用光量制御回路４３およびフォーカス用レーザ駆動回路４４による光量制御に用いられる。これにより、レーザ光源３１から出射されるフォーカス用レーザ光の光量が、対物レンズ２８のフォーカスサーボ制御に必要な一定光量、すなわち、フォーカス基準光量に保たれる。
【００３５】
次に、コントローラ６０は、初期化用レーザ駆動回路４２を介してレーザ光源２１から初期化用レーザ光を出射させる。レーザ光源２１から出射した初期化用レーザ光は、コリメートレンズ２２、ダイクロイックミラー２３、偏光ビームスプリッタ２４、ダイクロイックミラー２５、立上ミラー２６、１／４波長板２７および対物レンズ２８を介して光ディスクＤＫに導かれ、図２に示すように、光ディスクＤＫの記録層上に楕円形状の第１の光スポットＳＰ１を形成する。この場合、ダイクロイックミラー２３に入射した初期化用レーザ光の一部はフォトディテクタ２９に導かれ、同フォトディテクタ２９により受光量に応じた受光信号に変換されて初期化用光量制御回路４１および初期化用レーザ駆動回路４２による光量制御に用いられる。これにより、レーザ光源２１から出射される初期化用レーザ光の光量が、記録層の初期化に必要な一定光量、すなわち、初期化基準光量に保たれる。
【００３６】
第１の光スポットＳＰ１の反射光は、対物レンズ２８、１／４波長板２７、立上ミラー２６、ダイクロイックミラー２５および偏光ビームスプリッタ２４を介して反射ミラー３０に導かれる。この場合、初期化用レーザ光の光強度が非常に大きいため、同初期化用レーザ光の反射光の一部がダイクロイックミラー２５で反射して偏光ビームスプリッタ３３に導かれるが、偏光ビームスプリッタ３３およびダイクロイックミラー３５によって、同反射光が４分割フォトディテクタ３８に導かれることはない。すなわち、偏光ビームスプリッタ３３に導かれた初期化用レーザ光の反射光の一部は偏光ビームスプリッタ３３により反射されてダイクロイックミラー３５に導かれる。そして、ダイクロイックミラー３５は、波長８１０nmのレーザ光を反射するため、同初期化用レーザ光の反射光を入射方向に直交する方向（図示下側）に反射する。
【００３７】
反射ミラー３０に導かれた第１の光スポットＳＰ１の反射光は、同反射ミラー３０によって反射されて、再度、偏光ビームスプリッタ２４、ダイクロイックミラー２５、立上ミラー２６、１／４波長板２７および対物レンズ２８を介して光ディスクＤＫに導かれ、図２に示すように、同光ディスクＤＫの記録層上に楕円形状の第２の光スポットＳＰ２を形成する。この場合、反射ミラー３０は、前記したように、初期化用レーザ光の反射光の光軸に対して所定の角度、すなわち、作業者により指示された間隔に対応する角度で傾斜しているため、記録層上に形成される第２の光スポットＳＰ２は、第１の光スポットＳＰ１に対して同第１の光スポットＳＰ１の移動方向の前方側であって同作業者により指示された間隔を隔てて形成される。
【００３８】
なお、フォーカス用レーザ光によって形成される円形状のフォーカス用光スポットＳＰＦは、前記したように、第１の光スポットＳＰ１の移動方向における後方側に形成される。このように、フォーカス用光スポットＳＰＦを第１の光スポットＳＰ１の後方側に形成するのは、初期化された記録層、すなわち結晶化した記録層は反射率が高いため、同初期化された記録層にフォーカス用光スポットＳＰＦを形成することにより、フォーカス用レーザ光の光強度を小さくできるからである。また、フォーカス用光スポットＳＰＦからの反射光（Ｓ偏光）の極一部がダイクロイックミラー２５を透過して偏光ビームスプリッタ２４に導かれるが、同偏光ビームスプリッタ２４は、波長６６０ｎｍの光でもＳ偏光の偏光方向を有するレーザ光の大部分を反射するため、反射ミラー３０に導かれる同反射光は無視できるほど小さい。
【００３９】
次に、コントローラ６０は、光ディスクＤＫの記録層の初期化処理を開始する。初期化処理は、楕円形状の第１の光スポットＳＰ１および第２の光スポットＳＰ２を光ディスクＤＫの記録層に形成した状態で、光ディスクＤＫの最外周部から最内周部に向かって行われる。具体的には、コントローラ６０は、フィードモータ制御回路１７にてエンコーダ１２ａからの回転検出信号によって計算される光ディスクＤＫにおける第１の光スポットＳＰ１の径方向位置を表す情報と、コントローラ６０によって設定された線速度および光ディスクＤＫ上における光スポットの長径とから計算される光ディスクＤＫの径方向移動速度を表す信号をフィードモータ制御回路１７に出力し、フィードモータ制御回路１７はこの径方向移動速度を表す信号に応じた速度でフィードモータ１２の回転を制御する。これにより、記録層上に形成された第１の光スポットＳＰ１および第２の光スポットＳＰ２は、光ディスクＤＫにおける最外周部から最内周部に向かって移動する。この場合、コントローラ６０は、光ディスクＤＫ上に形成される楕円形状の第１の光スポットＳＰ１および第２の光スポットＳＰ２の光ディスクＤＫの径方向外周側の端部を、既に初期化された記録層の内周側の端部に重なるように移動させる。なお、この重なり量は、作業者により予めコントローラ６０に設定される。
【００４０】
記録層の初期化においては、初期化されようとしている領域に先ず第２の光スポットＳＰ２が照射されて同領域が熱せられた後に、第１の光スポットＳＰ１が照射されて初期化が行われる。この場合、第２の光スポットＳＰ２の光強度は第１の光スポットＳＰ１の光強度の３割程度の光強度であるため、同領域が第２の光スポットＳＰ２によって完全に初期化されることはない。一方、第１の光スポットＳＰ１により初期化されようとしている領域は、第２の光スポットＳＰ２により予め熱せられた状態であるため、第１の光スポットＳＰ１が照射されることにより同領域は全域に亘って短時間に結晶化温度に達することができる。これにより、第２の光スポットＳＰ２および第１の光スポットＳＰ１が照射された領域が短時間に均一に初期化される。
【００４１】
このような初期化処理が、光ディスクＤＫの最外周部から最内周部に亘って実行されると、コントローラ６０は、スピンドルモータ制御回路１４、初期化用光量制御回路４１、初期化用レーザ駆動回路４２、フォーカス用光量制御回路４３およびフォーカス用レーザ駆動回路４４の作動を停止させるとともに、光ディスクＤＫを初期化開始位置に復帰させる。これにより、対物レンズ２８のフォーカスサーボ制御が停止するとともに、レーザ光源２１およびレーザ光源３１からのレーザ光の出射がそれぞれ停止する。また、光ディスクＤＫが初期化開始位置に復帰する。
【００４２】
なお、光ディスクＤＫに対する初期化用レーザ光による第１の光スポットＳＰ１および第２の光スポットＳＰ２の走査においては、光ディスクＤＫの最内周から最外周まで外側に向かって走査するようにしてもよい。作業者は、表示装置６２の表示を確認した後、初期化装置から光ディスクＤＫを取り外し、新たに初期化する光ディスクＤＫがある場合には、新たな光ディスクＤＫを前記と同様に初期化装置にセットして初期化作業を行う。この場合、第１の光スポットＳＰ１と第２の光スポットＳＰ２との間隔を調整する必要がなければ、新たな光ディスクＤＫに対して続けて初期化処理を行えばよい。
【００４３】
上記作動説明からも理解できるように、上記実施形態によれば、レーザ光源２１から出射され光ディスクＤＫ上に形成された第１の光スポットＳＰ１の反射光を、反射ミラー３０によって反射して再び光ディスクＤＫ上に導いて第２の光スポットＳＰ２を形成している。この場合、第２の光スポットＳＰ２は、第１の光スポットＳＰ１の移動方向における前側であって同第１の光スポットＳＰ１の近傍に形成される。このため、光ディスクＤＫの記録層が初期化される際、初期化の対象である記録層は、まず第２の光スポットＳＰ２により予め熱せられた状態で第１の光スポットＳＰ１により初期化される。すなわち、第２の光スポットＳＰ２によって初期化の対象である記録層の温度上昇を開始させ、その後第１の光スポットＳＰ１の照射によって同記録層の温度を徐々に上昇させることができるので、１つの初期化用の光スポットを用いて初期化する場合に比べて、適正な光量の光スポットで急激な温度上昇を伴うことなく、前記記録層の温度を結晶化温度に上昇させることができる。また、初期化対象である記録層を第２の光スポットＳＰ２および第１の光スポットＳＰ１からなる２段階で熱しているので、結果として、第１の光スポットの光ディスクに対する相対的な移動速度を上げることができ、初期化作業の効率を良好にすることができる。さらに、本発明に係る光ディスクＤＫの初期化装置においては、１つのレーザ光源２１を初期化用のレーザ光源としているため、２つのレーザ光源を用いる場合に比べて、レーザ光源のメンテナンス作業の負担を軽減することができるとともに、初期化装置の構成を複雑にすることなく安価に構成することができる。
【００４４】
また、光スポット間隔調整回路５２および角度調整装置５１により第１の光スポットＳＰ１と第２の光スポットＳＰ２との間隔を変更することができる。この結果、レーザ光源２１から出射される初期化用レーザ光の光量（光強度）や光ディスクの記録層の種類に応じて適宜、両光スポットの間隔を変更することができ、初期化精度を良好に維持することができる。
【００４５】
さらに、本発明の実施にあたっては、上記実施形態に限定されるものではなく、本発明の目的を逸脱しない限りにおいて種々の変更が可能である。
【００４６】
上記実施形態においては、反射ミラー３０によって反射された反射光の光量を調整することなく光ディスクＤＫの記録層に導き第２の光スポットＳＰ２を形成するように構成したが、同第２の光スポットＳＰ２の光量が必要以上に大きい場合には、第２の光スポットＳＰ２を形成するための反射光の光量を必要な光量に減じるように構成してもよい。例えば、反射ミラー３０によって反射される反射光の光路上、例えば偏光ビームスプリッタ２４と反射ミラー３０との間に透過光量を減じるＮＤフィルタまたは偏光子などからなる光量調整器を介装するとよい。
【００４７】
また、この場合、図３に示すように、反射ミラー３０によって反射され、再度光ディスクＤＫに導かれる反射光の光量を所定の光量に維持できるように構成にしてもよい。例えば、図３に示す初期化装置は、図１に示す初期化装置に対して光量調整器７１、フォトディテクタ７２、位置調整装置５３および反射光量制御回路５４を追加した構成となっている。光量調整器７１は、偏光ビームスプリッタ２４と反射ミラー３０との間に配置され、反射ミラー３０によって反射された反射光の光量を減じるＮＤフィルタにより構成されている。ＮＤフィルタは、入射した光に対して同入射光の光量を減じつつ透過させる光学素子であり、本変形例においては、偏光ビームスプリッタ２４を透過して導かれる光ディスクＤＫからの反射光の光量を減じて反射ミラー３０に導くとともに、同反射ミラー３０によって反射された反射光の光量も減じて偏光ビームスプリッタ２４に導く。この場合、ＮＤフィルタは、入射した光の入射位置によって透過する光の光量が異なる。換言すれば、ＮＤフィルタに入射する光の入射位置によって減じられる光量が異なる。したがって、この光量調整器７１は、光ディスクＤＫからの反射光および反射ミラー３０から反射した反射光の光軸に対して直線的に変位（図において上下方向）するように光ピックアップ装置２０内に組み付けられている。
【００４８】
フォトディテクタ７２は、偏光ビームスプリッタ２４によって入射方向に直交する方向（図示上側）に反射された反射ミラー３０から導かれる反射光の光路上に設けられ、偏光ビームスプリッタ２４によって反射された反射光（Ｐ偏光）を受光して、同受光量に応じた電気信号を受光信号として反射光量制御回路５４に出力する。なお、偏光ビームスプリッタ２４は、入射した反射ミラー３０からの反射光（Ｐ偏光）の一部（例えば５％）をフォトディテクタ７２に向けて反射するように構成されている。位置調整装置５３は、反射ミラー３０から導かれる反射光に対する光量調整器７１の入射面の位置を変化させる調整機構および同調整機構を駆動するパルスモータを備えており、反射光量制御回路５４から出力される反射光量制御信号に応じて光量調整器７１の位置を直線的に変化させる。
【００４９】
反射光量制御回路５４は、コントローラ６０に予め設定される反射基準光量を表す反射基準光量信号とフォトディテクタ７２から出力される受光信号（反射ミラー３０から導かれる反射光の光量）との差電圧を算出して、同差電圧が表す光量差を補正するための光量調整器７１の変位量を計算し、同変位量に対応するパルス信号からなる反射光量制御信号を位置調整装置５３に出力する。ここで反射基準光量とは、光ディスクＤＫの記録層上に形成される第２の光スポットＳＰ２の必要とされる光量である。この反射光量制御回路５４には、作業者により前記光量差と光量調整器７１の変位量との相関関係を表すデータが予め設定されており、反射光量制御回路５４は、同相関関係を表すデータに基づいて反射光量制御信号を生成する。
【００５０】
このように構成された本変形例に係る光ディスクの初期化装置においては、光ディスクＤＫの記録層に形成された第１の光スポットＳＰ１からの反射光（Ｐ偏光）は、対物レンズ２８、１／４波長板２７、立上ミラー２６、ダイクロイックミラー２５、偏光ビームスプリッタ２４および光量調整器７１を介して反射ミラー３０に導かれる。そして、反射ミラー３０によって反射された反射光は、偏光ビームスプリッタ２４にてその一部が反射してフォトディテクタ７２に導かれる。フォトディテクタ７２は、受光量に応じた受光信号を反射光量制御回路５３に出力する。反射光量制御回路５４は、フォトディテクタ７２から出力される受光信号とコントローラ６０から出力される反射基準光量を表す反射基準光量信号とを用いて光量調整器７１を変位させるための反射光量制御信号を生成して、位置調整装置５３に出力する。位置調整装置５３は、同反射光量制御信号に応じて光量調整器７１の位置を直線的に変位させる。これにより、反射ミラー３０によって反射され光ディスクＤＫに導かれる反射光の光量が、反射基準光量に保たれる。この結果、レーザ光源２１から出射される初期化用レーザ光の光量（光強度）や光ディスクＤＫの記録層の種類に応じて適宜、第２の光スポットＳＰ１の光量を変更することができ、初期化精度を良好に維持することができる。
【００５１】
なお、光量調整器７１は、反射ミラー３０によって反射された反射光の光量を調整できればよいので、ＮＤフィルタに代えて偏光子または液晶素子を用いてもよい。偏光子は、入射する光に対する向きに応じて透過する光量が変化する光学素子である。この偏光子を光量調整器７１として用いた場合、位置調整装置５３は偏光子を回転させることにより、反射ミラー３０によって反射された反射光の光軸に対して偏光子の向きを変化させる。また、液晶素子は、電気信号の供給により透過する光量が変化する素子である。この液晶素子を光量調整器７１として用いた場合、反射光量制御回路５４は、前記光量差に応じて液晶素子の光透過特性を変化させる電気信号を同液晶素子に供給するように構成する。また、これらのＮＤフィルタ、偏光子および液晶素子を組み合わせて光量調整器７１を構成することもできる。これらによっても、上記実施形態と同様の効果が期待できる。
【００５２】
また、上記実施形態においては、レーザ光源３１から出射されるフォーカス用レーザ光を用いて対物レンズ２８のフォーカスサーボ制御を行うように構成したが、レーザ光源２１から出射される初期化用レーザ光を用いて同対物レンズ２８のフォーカスサーボ制御を行うこともできる。例えば、図４に示すように、ＳＳＤ法（スポットサイズ法）を用いて対物レンズ２８のフォーカスサーボ制御を行うことができる。図４に示す初期化装置は、図１に示す初期化装置におけるレーザ光源３１、コリメートレンズ３２、偏光ビームスプリッタ３３、フォトディテクタ３４、ダイクロイックミラー２５，３５、集光レンズ３６、シリンドリカルレンズ３７、４分割フォトディテクタ３８に代えて、偏光ビームスプリッタ７３、集光レンズ７４、ビームスプリッタ７５、４分割フォトディテクタ７６，７７により構成されている。偏光ビームスプリッタ７３は、入射したレーザ光のうちＳ偏光の偏光方向を有するレーザ光を透過させるとともに、Ｐ偏光の偏光方向を有するレーザ光の一部（例えば５％）を入射方向に直交する方向（図示下側）に反射させる。集光レンズ７４は、偏光ビームスプリッタ７３にて反射された反射光（Ｐ偏光）の光軸上に配置され、同反射光をビームスプリッタ７５を介して所定の位置に集光させる。
【００５３】
ビームスプリッタ７５は、集光レンズ７４を介して入射した反射光の一部を透過させて４分割フォトディテクタ７６に導くとともに、他の一部を入射方向に直交する方向（図示右側）に反射させて４分割フォトディテクタ７７に導く。４分割フォトディテクタ７６，７７は、対物レンズ２８が光ディスクＤＫに合焦している場合における集光レンズ７４の合焦点から光学的に前後等距離の位置にそれぞれ配置されている。この４分割フォトディテクタ７６，７７は、それぞれ分割線で区切られた互いに等しい受光面積を持つ４つの同一ひし形形状の受光素子からなる４分割受光素子によって構成されおり、各受光素子は受光量に比例した受光信号Ａ１〜Ｄ１および受光信号Ａ２〜Ｄ２をそれぞれ出力する。これらの受光信号Ａ１〜Ｄ１および受光信号Ａ２〜Ｄ２は、それぞれＨＦ信号増幅回路５５，５６によって増幅された後、フォーカスエラー信号生成回路４６に供給される。フォーカスエラー信号生成回路４６は、４分割フォトディテクタ７６，７７からそれぞれ出力される受光信号Ａ１〜Ｄ１および受光信号Ａ２〜Ｄ２を用いてＳＳＤ法によりフォーカスエラー信号｛（Ａ１＋Ｂ１−（Ｃ１＋Ｄ１））−（Ａ２＋Ｂ２−（Ｃ２＋Ｄ２））｝を生成して、フォーカスサーボ制御回路４７に出力する。これによれば、対物レンズ２８のフォーカスサーボ制御のためのレーザ光源３１などの構成部品が不要となり、光ピックアップ装置２０を構成する部品の点数を少なくすることができ、初期化装置の構成をより簡単かつコンパクトに構成することができる。
【００５４】
また、上記実施形態においては、光ディスクＤＫの記録層に楕円形状の第１の光スポットＳＰ１および第２の光スポットＳＰ２を形成するため、断面形状が楕円形状の初期化用レーザ光を出射するレーザ光源２１を用いたが、光ディスクＤＫの記録層に楕円形状の第１の光スポットＳＰ１および第２の光スポットＳＰ２を形成することができれば、これに限定されるものではない。例えば、断面形状が円形状の初期化用レーザ光を出射するレーザ光源を用いるとともに、同レーザ光源の光軸上にシリンドリカルレンズ等の光学系を配設し、レーザ光源から出射される円形状の初期化用レーザ光の光スポット形状を楕円形状に変形させるようにしてもよい。これによっても、上記実施形態と同様の効果が期待できる。
【００５５】
また、上記実施形態においては、断面形状が楕円形状の初期化用レーザ光を出射するレーザ光源２１を用いたが、光ディスクＤＫの記録層を初期化できる光強度を有するレーザ光を出射するレーザ光源であれば、これに限定されるものではない。すなわち、断面形状が楕円形状の初期化用レーザ光を用いたのは、各１つの第１の光スポットＳＰ１および第２の光スポットＳＰ２によって複数のトラックを同時に初期化して光ディスクＤＫの初期化作業を効率的に行うためである。したがって、光ディスクＤＫの初期化効率を問題としなければ、例えば、断面形状が円形状の初期化用レーザ光を出射するレーザ光源を用いて円形状の第１の光スポットＳＰ１および第２の光スポットＳＰ２により初期化を行うようにしてもよい。これによっても、上記実施形態と同様の効果が期待できる。
【００５６】
また、上記実施形態においては、角度調整装置５１および光スポット間隔調整回路５２を用いて、反射ミラー３０の向きを自動で変化させるように構成したが、反射ミラー３０の向きを手動で調整できる機構を設けて、同反射ミラー３０の向きを手動操作により変化させるように構成してもよい。これによっても、上記実施形態と同様の効果が期待できる。なお、反射ミラー３０の向きが所定の向きで固定であって調整する必要がない場合には、同反射ミラー３０を光ピックアップ装置２０に対して同所定の向きで固定的に取り付けるようにしてもよい。これによれば、反射ミラー３０の向きを変化させる構成、すなわち位置調整装置５３および反射光量調整回路５４が不要となり初期化装置の構成を簡単かつコンパクトにすることができる。
【００５７】
また、上記実施形態においては、光ディスクＤＫをスピンドルモータ１１により回転させるとともに、同光ディスクＤＫを径方向に移動させて記録層の初期化を行うように構成したが、光ディスクＤＫの記録層に対して相対的に第１の光スポットＳＰ１および第２の光スポットＳＰ２を移動させる構成であれば、これに限定されるものではない。例えば、テーブル上に固定された光ディスクＤＫに対して、同光ディスクＤＫの直径に対応する長さの第１の光スポットＳＰ１および第２の光スポットＳＰ２を光ディスクＤＫの一端側から他端側に向けて連続的に移動させることにより記録層を初期化するように構成してもよい。
【図面の簡単な説明】
【００５８】
【図１】本発明の一実施形態に係る光ディスクの初期化装置の全体を概略的に示すブロック図である。
【図２】光ディスク上に形成される光スポットの位置関係を説明するための説明図である。
【図３】本発明の他の実施形態に係る光ディスクの初期化装置の全体を概略的に示すブロック図である。
【図４】本発明の他の実施形態に係る光ディスクの初期化装置の全体を概略的に示すブロック図である。
【符号の説明】
【００５９】
ＤＫ…光ディスク、１０…回転駆動装置、１１…スピンドルモータ、１２…フィードモータ、２０…光ピックアップ装置、２１，３１…レーザ光源、２３，２５，３５…ダイクロイックミラー、２４，３３…偏光ビームスプリッタ、２８…対物レンズ、３０…反射ミラー、４１…初期化用光量制御回路、４２…初期化用レーザ駆動回路、５１…角度調整装置、５２…光スポット間隔調整回路。
【図１】
2007141302.tif 000003
【図２】
2007141302.tif 000004
【図３】
2007141302.tif 000005
【図４】
2007141302.tif 000006